(57)【要約】【課題】釣銭補充用の搬送機構を設けることなく釣銭の払出が可能であると共に、釣銭切れのおそれを減少させることが可能な遊技用装置を提供する。【解決手段】紙幣識別機２４ｂにより識別された紙幣２のうち、金額が最大の金種の紙幣２（一万円紙幣）以外の少なくとも２金種の紙幣（五千円紙幣，千円紙幣）を釣銭用として紙幣収納部２４ｃ，２４ｄに収納し、遊技終了時に、釣銭に相当する金額分の紙幣として前記収納されている各金種の紙幣よりそれぞれ何枚払い出すかを特定し、前記収納されている各金種の紙幣を前記特定された枚数ずつ釣銭として払い出す。【選択図】    図４
2004321417.tif 000002
【特許請求の範囲】
【請求項１】
遊技機に対応して設けられ、
紙幣を識別する紙幣識別手段と、
該紙幣識別手段により識別された紙幣の金種に対応する有価価値の大きさを記憶する有価価値記憶手段と、
該有価価値記憶手段に記憶されている有価価値の大きさの範囲内における所定の大きさの有価価値に相当する遊技媒体を貸与するための貸与処理を行う遊技媒体貸与処理手段と、
該遊技媒体貸与処理手段により遊技媒体の貸与に使用された有価価値の大きさを前記有価価値記憶手段に記憶されている有価価値の大きさから減算する減算手段と、
前記紙幣識別手段により識別された紙幣を回収する紙幣回収手段と、
釣銭用の紙幣を収納する釣銭収納手段と、
遊技者による遊技終了操作を検出する遊技終了操作検出手段と、
該遊技終了操作検出手段による検出があったときに、前記有価価値記憶手段に記憶されている有価価値の大きさに相当する金額分の紙幣として、前記釣銭収納手段に収納されている紙幣より何枚払い出すかを特定する払出枚数特定手段と、
前記釣銭収納手段に収納されている紙幣を該払出枚数特定手段により特定された枚数釣銭として払い出す釣銭払出手段と、
を備える遊技用装置であって、
前記紙幣識別手段は、少なくとも異なる３金種の紙幣を識別し、
前記紙幣回収手段は、前記紙幣識別手段により識別された紙幣のうち、少なくとも金額が最大の金種の紙幣を回収し、
前記釣銭収納手段は、前記紙幣識別手段により識別された紙幣のうち、前記金額が最大の金種の紙幣以外の少なくとも２金種の紙幣を釣銭用として該紙幣の金種毎に収納し、
前記払出枚数特定手段は、前記有価価値記憶手段に記憶されている有価価値の大きさに相当する金額分の紙幣として、前記釣銭収納手段に収納されている各金種の紙幣よりそれぞれ何枚払い出すかを特定し、
前記釣銭払出手段は、前記釣銭収納手段に収納されている各金種の紙幣を前記払出枚数特定手段により特定された枚数ずつ釣銭として払い出すことを特徴とする遊技用装置。
【請求項２】
請求項１に記載した遊技用装置であって、
前記紙幣回収手段に回収された紙幣の金額を特定可能な情報と、前記釣銭収納手段に収納された紙幣の金額を特定可能な情報と、前記釣銭払出手段により釣銭として払い出された紙幣の金額を特定可能な情報と、を外部出力する紙幣金額情報出力手段をさらに備えることを特徴とする遊技用装置。
【請求項３】
請求項１又は２に記載した遊技用装置であって、
前記釣銭収納手段に収納されている紙幣の残量が第１の所定量以上であるか否かを該収納されている紙幣の金種毎に判定する第１の紙幣残量判定手段をさらに備え、
前記紙幣回収手段は、前記紙幣識別手段により識別された紙幣のうち、前記第１の紙幣残量判定手段により収納されている紙幣の残量が第１の所定量以上であると判定された金種の紙幣を回収することを特徴とする遊技用装置。
【請求項４】
請求項１〜３のいずれか１つに記載した遊技用装置であって、
前記釣銭収納手段に収納されている紙幣の残量が第２の所定量以下であるか否かを該収納されている紙幣の金種毎に判定する第２の紙幣残量判定手段と、
該第２の紙幣残量判定手段により収納されている紙幣の残量が第２の所定量以下であると判定された金種が存在するときに、当該金種の紙幣が不足している旨を報知する報知手段と、をさらに備えることを特徴とする遊技用装置。
【請求項５】
請求項１〜４のいずれか１つに記載した遊技用装置であって、
前記釣銭収納手段に収納されている紙幣の残量が零であるか否かを該収納されている紙幣の金種毎に判定する第３の紙幣残量判定手段をさらに備え、
前記払出枚数特定手段は、該第３の紙幣残量判定手段により収納されている紙幣の残量が零であると判定された金種が存在するときに、前記有価価値記憶手段に記憶されている有価価値の大きさに相当する金額分の紙幣として、前記収納されている紙幣の残量が零であると判定された金種以外の金種の紙幣からそれぞれ何枚払い出すかを特定することを特徴とする遊技用装置。
【請求項６】
請求項１〜５のいずれか１つに記載した遊技用装置であって、
硬貨を識別する硬貨識別手段をさらに備え、
前記釣銭収納手段は、該硬貨識別手段により識別された硬貨のうち、所定の金種の硬貨を釣銭用として該硬貨の金種毎に収納し、
前記有価価値記憶手段は、前記硬貨識別手段により識別された硬貨の金種に対応する有価価値の大きさを記憶し、
前記払出枚数特定手段は、前記遊技終了操作検出手段による検出があったときに、前記有価価値記憶手段に記憶されている有価価値の大きさに相当する金額分の貨幣として、前記釣銭収納手段に収納されている各金種の紙幣及び／又は硬貨よりそれぞれ何枚払い出すかを特定し、
前記釣銭払出手段は、前記釣銭収納手段に収納されている各金種の紙幣及び／又は硬貨を前記払出枚数特定手段により特定された枚数ずつ釣銭として払い出すことを特徴とする遊技用装置。
【請求項７】
請求項６に記載した遊技用装置であって、
前記釣銭収納手段に収納された硬貨の金額を特定可能な情報と、前記釣銭払出手段により釣銭として払い出された硬貨の金額を特定可能な情報と、を外部出力する硬貨金額情報出力手段をさらに備えることを特徴とする遊技用装置。
【発明の詳細な説明】
【０００１】
【発明の属する技術分野】
本発明は、遊技機に対応して設けられ、貨幣を受け入れて遊技媒体を貸与するための貸与処理を行う遊技用装置に係り、特に該受け入れた貨幣のうち釣銭として使用する金種の貨幣を遊技用装置内に収納して、遊技終了後に釣銭として払い出す処理を行う遊技用装置に関する。
【０００２】
【従来の技術】
従来より、遊技機（例えばパチンコ機）に対応して設けられ、貨幣（例えば紙幣，及び／又は硬貨）や遊技用カードを受け入れて、受け入れた貨幣の金額や遊技用カードに記憶されている有価価値の大きさの範囲内で、前記対応する遊技機に遊技媒体を提供するための遊技用装置が知られている。その中で、高額紙幣（例えば一万円紙幣や五千円紙幣）を受け入れて遊技用カードを発行し、釣銭を釣銭用紙幣（例えば千円紙幣）によって払い出す遊技用装置，及び該遊技用装置を含む遊技用システムが提案されている（例えば特許文献１を参照）。
【０００３】
【特許文献１】
特開２００１−５４６７５号公報（第３頁，図１）
【０００４】
【発明が解決しようとする課題】
しかしながら、前記した従来の遊技用装置，及び遊技用システムでは、様々な釣銭額に対応できるように、釣銭用紙幣として低額の１金種の紙幣のみを収納しており、該収納している紙幣の合計額が小さいため、遊技用装置に釣銭用紙幣を補充するために遊技島内に該釣銭紙幣用の搬送機構が必要であり、システムが複雑化することによって制御やオペレーションが煩雑になってしまうという問題がある。また釣銭用紙幣を他の高額紙幣を回収するための搬送機構と同一の搬送機構で搬送する場合には、釣銭用紙幣が搬送路に詰まったりすると他の高額紙幣の搬送までできなくなってしまうため、出入金の管理上問題となる。さらに釣銭用紙幣の搬送機構を他の高額紙幣の搬送機構と別に設けた場合には、搬送機構が一層複雑化するに伴って導入コスト，管理コスト共に高くなってしまうという問題が生じる。
【０００５】
本発明は、このような背景のもとになされたものであり、その目的は釣銭補充用の搬送機構を設けることなく釣銭の払出が可能であると共に、釣銭切れのおそれを減少させることが可能な遊技用装置を提供することにある。
【０００６】
【課題を解決するための手段】
本発明は、前記課題を解決するために、次のような手段を採る。
【０００７】
まず請求項１に係る発明は、遊技機に対応して設けられ、紙幣を識別する紙幣識別手段と、該紙幣識別手段により識別された紙幣の金種に対応する有価価値の大きさを記憶する有価価値記憶手段と、該有価価値記憶手段に記憶されている有価価値の大きさの範囲内における所定の大きさの有価価値に相当する遊技媒体を貸与するための貸与処理を行う遊技媒体貸与処理手段と、該遊技媒体貸与処理手段により遊技媒体の貸与に使用された有価価値の大きさを前記有価価値記憶手段に記憶されている有価価値の大きさから減算する減算手段と、前記紙幣識別手段により識別された紙幣を回収する紙幣回収手段と、釣銭用の紙幣を収納する釣銭収納手段と、遊技者による遊技終了操作を検出する遊技終了操作検出手段と、該遊技終了操作検出手段による検出があったときに、前記有価価値記憶手段に記憶されている有価価値の大きさに相当する金額分の紙幣として、前記釣銭収納手段に収納されている紙幣より何枚払い出すかを特定する払出枚数特定手段と、前記釣銭収納手段に収納されている紙幣を該払出枚数特定手段により特定された枚数釣銭として払い出す釣銭払出手段と、を備える遊技用装置であって、前記紙幣識別手段は、少なくとも異なる３金種の紙幣を識別し、前記紙幣回収手段は、前記紙幣識別手段により識別された紙幣のうち、少なくとも金額が最大の金種の紙幣を回収し、前記釣銭収納手段は、前記紙幣識別手段により識別された紙幣のうち、前記金額が最大の金種の紙幣以外の少なくとも２金種の紙幣を釣銭用として該紙幣の金種毎に収納し、前記払出枚数特定手段は、前記有価価値記憶手段に記憶されている有価価値の大きさに相当する金額分の紙幣として、前記釣銭収納手段に収納されている各金種の紙幣よりそれぞれ何枚払い出すかを特定し、前記釣銭払出手段は、前記釣銭収納手段に収納されている各金種の紙幣を前記払出枚数特定手段により特定された枚数ずつ釣銭として払い出すことを特徴とする遊技用装置である。
【０００８】
また請求項２に係る発明は、請求項１に記載した遊技用装置であって、前記紙幣回収手段に回収された紙幣の金額を特定可能な情報と、前記釣銭収納手段に収納された紙幣の金額を特定可能な情報と、前記釣銭払出手段により釣銭として払い出された紙幣の金額を特定可能な情報と、を外部出力する紙幣金額情報出力手段をさらに備えることを特徴とする遊技用装置である。
【０００９】
また請求項３に係る発明は、請求項１又は２に記載した遊技用装置であって、前記釣銭収納手段に収納されている紙幣の残量が第１の所定量以上であるか否かを該収納されている紙幣の金種毎に判定する第１の紙幣残量判定手段をさらに備え、前記紙幣回収手段は、前記紙幣識別手段により識別された紙幣のうち、前記第１の紙幣残量判定手段により収納されている紙幣の残量が第１の所定量以上であると判定された金種の紙幣を回収することを特徴とする遊技用装置である。
【００１０】
また請求項４に係る発明は、請求項１〜３のいずれか１つに記載した遊技用装置であって、前記釣銭収納手段に収納されている紙幣の残量が第２の所定量以下であるか否かを該収納されている紙幣の金種毎に判定する第２の紙幣残量判定手段と、該第２の紙幣残量判定手段により収納されている紙幣の残量が第２の所定量以下であると判定された金種が存在するときに、当該金種の紙幣が不足している旨を報知する報知手段と、をさらに備えることを特徴とする遊技用装置である。
【００１１】
また請求項５に係る発明は、請求項１〜４のいずれか１つに記載した遊技用装置であって、前記釣銭収納手段に収納されている紙幣の残量が零であるか否かを該収納されている紙幣の金種毎に判定する第３の紙幣残量判定手段をさらに備え、前記払出枚数特定手段は、該第３の紙幣残量判定手段により収納されている紙幣の残量が零であると判定された金種が存在するときに、前記有価価値記憶手段に記憶されている有価価値の大きさに相当する金額分の紙幣として、前記収納されている紙幣の残量が零であると判定された金種以外の金種の紙幣からそれぞれ何枚払い出すかを特定することを特徴とする遊技用装置である。
【００１２】
また請求項６に係る発明は、請求項１〜５のいずれか１つに記載した遊技用装置であって、硬貨を識別する硬貨識別手段をさらに備え、前記釣銭収納手段は、該硬貨識別手段により識別された硬貨のうち、所定の金種の硬貨を釣銭用として該硬貨の金種毎に収納し、前記有価価値記憶手段は、前記硬貨識別手段により識別された硬貨の金種に対応する有価価値の大きさを記憶し、前記払出枚数特定手段は、前記遊技終了操作検出手段による検出があったときに、前記有価価値記憶手段に記憶されている有価価値の大きさに相当する金額分の貨幣として、前記釣銭収納手段に収納されている各金種の紙幣及び／又は硬貨よりそれぞれ何枚払い出すかを特定し、前記釣銭払出手段は、前記釣銭収納手段に収納されている各金種の紙幣及び／又は硬貨を前記払出枚数特定手段により特定された枚数ずつ釣銭として払い出すことを特徴とする遊技用装置である。
【００１３】
さらに請求項７に係る発明は、請求項６に記載した遊技用装置であって、前記釣銭収納手段に収納された硬貨の金額を特定可能な情報と、前記釣銭払出手段により釣銭として払い出された硬貨の金額を特定可能な情報と、を外部出力する硬貨金額情報出力手段をさらに備えることを特徴とする遊技用装置である。
【００１４】
【発明の実施の形態】
以下、本発明の実施の形態を、図面を参照して説明する。本発明に係る遊技用装置である玉貸ユニット２０は、図１に示すように、遊技機（ここではパチンコ機１０）に対応して設けられ、貨幣を受け入れて遊技媒体（ここではパチンコ玉）を貸与するための貸与処理（ここでは玉貸処理）を行うものであり、特に該受け入れた貨幣のうち釣銭として使用する金種の貨幣を玉貸ユニット２０内に収納して、遊技終了後に釣銭として払い出す処理を行うものである。
【００１５】
ここで貨幣は、図２に示すように、千円紙幣，二千円紙幣，五千円紙幣，及び一万円紙幣の４金種の紙幣２と、百円硬貨，及び五百円硬貨の２金種の硬貨３である。これら貨幣のうち、後述する図６に示す条件設定により、千円紙幣及び五千円紙幣は釣銭用の紙幣２として収納され、二千円紙幣及び一万円紙幣は釣銭用でない紙幣２として回収され、百円硬貨及び五百円硬貨は釣銭用の硬貨３として収納される。以下、収納される紙幣２を収納紙幣，収納される硬貨３を収納硬貨と称し、それらを収納貨幣と総称する。また回収される紙幣２を回収紙幣と称し、回収貨幣とも称する。
【００１６】
パチンコ機１０は遊技機の一例であって、遊技場における遊技島（図示外）において機種等に従って所定の位置に配置され、遊技媒体であるパチンコ玉を遊技領域１１に打ち込むことにより遊技を行うものであり、ここでは対応する玉貸ユニット２０の後述する玉払出機３１から払い出されて貸与されたパチンコ玉が、後述するノズル３１ａを介して該パチンコ機１０の上皿１２に供給される、いわゆる現金機である。このパチンコ機１０は、台番号によって個々に識別可能とされている。
【００１７】
このパチンコ機１０の前面には、図１に示すように、遊技領域１１，玉貸ユニット２０から供給された貸玉やパチンコ機１０の内部から払い出された賞球を貯留する上皿１２，該上皿１２内に貯留しきれないパチンコ玉を貯留する下皿１３，及びパチンコ玉を遊技領域１１に打ち込む操作を受け付ける発射ハンドル１４等が設けられている。またパチンコ機１０の内部には、図示しないが、遊技を制御する主制御基板，賞球を払い出す玉払出装置の制御を行う玉払出制御基板，及び玉払出装置等が設けられている。
【００１８】
玉貸ユニット２０は遊技用装置の一例であって、図１に示すように、パチンコ機１０に対応して（ここではパチンコ機１０の左側に隣接して）設けられ、縦長の箱型の形状を呈するものである。この玉貸ユニット２０の前面には、図１に示すように、多様化ランプ２３，紙幣挿入口２４ａ，硬貨挿入口２５ａ，硬貨返却ボタン２６，玉貸単位金額表示器２７，玉貸単位金額設定ボタン２８，残額表示器２９，玉貸ボタン３０，ノズル３１ａを備える玉払出機３１，遊技終了ボタン３２，硬貨返却口２６ａ等が設けられている。また玉貸ユニット２０の内部には、図２に示すように、紙幣識別機２４ｂと紙幣収納部２４ｃ，２４ｄ（図４を参照）を備える紙幣処理ユニット２４，硬貨識別機２５ｂと硬貨収納部２５ｃを備える硬貨処理ユニット２５，玉払出機３１，通信部２１，制御部２２，及び硬貨通路２５ｄ等が設けられている。ここで紙幣収納部２４ｃ，２４ｄ，及び硬貨収納部２５ｃは釣銭収納手段である。なお玉貸ユニット２０の背後における遊技島の内部には、紙幣２を搬送する紙幣回収ベルト６１，及び硬貨３を搬送する硬貨回収ベルト６２が設けられている。
【００１９】
これら玉貸ユニット２０に設けられる各構成要素は、図３に示すように接続されている。なお各玉貸ユニット２０は、図３に示すように、後述する通信部２１を介してホールコンピュータ５０と通信可能に接続されており、これら複数の玉貸ユニット２０とホールコンピュータ５０とで遊技用システム１が構成されている。この玉貸ユニット２０は、ユニットＩＤによって個々に識別可能とされており、ここでは該ユニットＩＤとして前記台番号と共通の番号が使用されている。
【００２０】
通信部２１は、前述の如くホールコンピュータ５０の通信部５１と通信可能に接続されており、玉貸ユニット２０とホールコンピュータ５０との間における通信を司るものである。この通信部２１は紙幣金額情報出力手段の一例であって、後述する紙幣回収手段に回収された回収紙幣の金額を特定可能な情報と、釣銭収納手段に収納された紙幣の金額を特定可能な情報と、後述する釣銭払出手段により釣銭として払い出された紙幣の金額を特定可能な情報と、を外部出力するものである。
【００２１】
また通信部２１は硬貨金額情報出力手段の一例であって、釣銭収納手段に収納された収納硬貨の金額を特定可能な情報と、後述する釣銭払出手段により釣銭として払い出された硬貨の金額を特定可能な情報と、を外部出力するものである。なお硬貨金額情報出力手段として機能する通信部２１は、釣銭収納手段に収納されずに硬貨回収ベルト６２にて搬送された硬貨の金額を特定可能な情報も外部出力する。
【００２２】
以上のように外部出力された各情報（以下「貨幣処理情報」という。）は、ホールコンピュータ５０に送信される。なお通信部２１は、後述する図６に示すようにしてホールコンピュータ５０において設定された、第１の所定量である貨幣回収条件を特定可能な情報，及び第２の所定量である貨幣補充条件を特定可能な情報も受信する。
【００２３】
制御部２２は、ＣＰＵ，ＲＡＭ，ＲＯＭ等を備えており、ＲＯＭに記憶されている処理プログラムがＲＡＭを作業領域としてＣＰＵで実行されることにより、玉貸ユニット２０に備えられる各構成要素の動作を制御して各種の処理を行うものである。この制御部２２は有価価値記憶手段の一例であって、紙幣識別機２４ｂにより識別された紙幣２の金種に対応する有価価値の大きさを記憶すると共に、硬貨識別機２５ｂにより識別された硬貨３の金種に対応する有価価値の大きさを記憶するものであり、ここでは該有価価値の大きさとして紙幣２又は硬貨３の金額自体を記憶する。
【００２４】
また制御部２２は遊技媒体貸与処理手段の一例であって、前記有価価値記憶手段である制御部２２に記憶されている有価価値の大きさの範囲内における所定の大きさの有価価値に相当する遊技媒体を貸与するための貸与処理を行うものであり、具体的には、制御部２２に記憶されている残額の範囲内で、玉貸単位金額設定ボタン２８により設定された玉貸単位金額に相当するパチンコ玉の払出を、玉払出機３１に対して指示する、玉貸処理を行う。
【００２５】
また制御部２２は減算手段の一例であって、前記遊技媒体貸与処理手段である制御部２２により遊技媒体の貸与に使用された有価価値の大きさを前記有価価値記憶手段に記憶されている有価価値の大きさから減算するものである。具体的には、玉貸単位金額設定ボタン２８により玉貸単位金額として５００円が設定されており、制御部２２に記憶されている残額が該設定されている玉貸単位金額以上である状態（例えば残額が３５００円である状態）では、前記玉貸処理が行われた場合に、玉貸単位金額である５００円に相当するパチンコ玉が貸与され、該パチンコ玉の貸与に使用された５００円が制御部２２に記憶されている３５００円から減算される。ただし玉貸単位金額設定ボタン２８により玉貸単位金額として５００円が設定されていても、制御部２２に記憶されている残額が該設定されている玉貸単位金額に満たない状態（例えば残額が３００円である状態）では、前記玉貸処理が行われた場合に、制御部２２に記憶されている３００円に相当するパチンコ玉が貸与され、該パチンコ玉の貸与に使用された３００円が制御部２２に記憶されている残額から減算されて残額が零になる。
【００２６】
また制御部２２は第１の紙幣残量判定手段の一例であって、釣銭収納手段である紙幣収納部２４ｃ，２４ｄに収納されている紙幣２の残量が第１の所定量以上であるか否かを該収納されている紙幣２の金種毎に判定するものである。なお制御部２２は第１の硬貨残量判定手段の一例でもあって、釣銭収納手段である硬貨収納部２５ｃに収納されている硬貨３の残量が第１の所定量以上であるか否かを該収納されている硬貨３の金種毎に判定するものである。
【００２７】
また制御部２２は第２の紙幣残量判定手段の一例であって、釣銭収納手段である紙幣収納部２４ｃ，２４ｄに収納されている紙幣２の残量が第２の所定量以下であるか否かを該収納されている紙幣２の金種毎に判定するものである。なお制御部２２は第２の硬貨残量判定手段の一例でもあって、釣銭収納手段である硬貨収納部２５ｃに収納されている硬貨３の残量が第２の所定量以下であるか否かを該収納されている硬貨３の金種毎に判定するものである。
【００２８】
さらに制御部２２は第３の紙幣残量判定手段の一例であって、釣銭収納手段である紙幣収納部２４ｃ，２４ｄに収納されている紙幣２の残量が零であるか否かを該収納されている紙幣２の金種毎に判定するものである。なお制御部２２は第３の硬貨残量判定手段の一例でもあって、釣銭収納手段である硬貨収納部２５ｃに収納されている硬貨３の残量が零であるか否かを該収納されている硬貨３の金種毎に判定するものである。
【００２９】
これら第１の紙幣残量判定手段，第２の紙幣残量判定手段，第３の紙幣残量判定手段，第１の硬貨残量判定手段，第２の硬貨残量判定手段，及び第３の硬貨残量判定手段（以下「貨幣残量判定手段」という。）として機能する制御部２２は、各貨幣の残量に対応する変数（ここでは、百円硬貨に対して百円収納変数，五百円硬貨に対して五百円収納変数，千円紙幣に対して千円収納変数，及び五千円紙幣に対して五千円収納変数とする。）をＲＡＭに記憶しており、各貨幣の収納を検知すると対応する変数を加算し、釣銭の払出が行われて各貨幣の払出を検知すると対応する変数を減算することによって、各貨幣の残量を該貨幣の金種毎に保持している。
【００３０】
さらに制御部２２は払出枚数特定手段の一例であって、遊技終了ボタン３２による検出があったときに、前記有価価値記憶手段である制御部２２に記憶されている有価価値の大きさ（即ち残額）に相当する金額分の貨幣として、釣銭収納手段である紙幣収納部２４ｃ，２４ｄ，及び硬貨収納部２５ｃに収納されている紙幣２及び／又は硬貨３より何枚払い出すかを特定するものである。ここで払出枚数特定手段として機能する制御部２２は、前記有価価値記憶手段である制御部２２に記憶されている有価価値の大きさ（即ち残額）に相当する金額分の貨幣として、釣銭収納手段である紙幣収納部２４ｃ，２４ｄ，及び硬貨収納部２５ｃに収納されている各金種の紙幣２及び／又は硬貨３より何枚払い出すかを特定し、具体的には、可能な限り金額の大きな金種の貨幣によって釣銭の払出を行うための貨幣の組み合わせを特定する。例えば残額が６０００円である場合には、釣銭として支払う貨幣の組み合わせとして五千円紙幣１枚，及び千円紙幣１枚を特定する。
【００３１】
ただし払出枚数特定手段として機能する制御部２２は、前記第３の紙幣残量判定手段及び／又は前記第３の硬貨残量判定手段により収納されている紙幣２及び／又は硬貨３の残量が零であると判定された金種が存在するときに、前記収納されている紙幣２及び／又は硬貨３の残量が零であると判定された金種以外の金種の紙幣２及び／又は硬貨３からそれぞれ何枚払い出すかを特定する。例えば前述の如く残額が６０００円である場合において、五千円紙幣の残量が零であるときには、該五千円紙幣以外の金種の貨幣から何枚払い出すかを特定し、具体的には釣銭として支払う貨幣の組み合わせとして千円紙幣６枚を特定する。なお前述の如く残額が６０００円である場合において、千円紙幣の残量が零であるときには、該千円紙幣以外の金種の貨幣から何枚払い出すかを特定し、具体的には釣銭として支払う貨幣の組み合わせとして五千円紙幣１枚，及び五百円硬貨２枚を特定する。また前述の如く残額が６０００円である場合において、千円紙幣及び五百円硬貨の残量が零であるときには、該千円紙幣及び五百円硬貨以外の金種の貨幣から何枚払い出すかを特定し、具体的には釣銭として支払う貨幣の組み合わせとして五千円紙幣１枚，及び百円硬貨１０枚を特定する。このように、遊技終了時の釣銭払出時において釣銭収納手段に収納されている紙幣２及び／又は硬貨３の残量が零である金種が存在するときには、該収納されている紙幣２及び／又は硬貨３の残量が零であると判定された金種以外の金種の紙幣２及び／又は硬貨３によって釣銭が払い出されるので、特定金種の紙幣２及び／又は硬貨３が無い場合にも釣銭を払い出すことができると共に、釣銭切れによって遊技者に不快感を抱かせることがなくなる。
【００３２】
多様化ランプ２３は報知手段の一例であって、前記第２の紙幣残量判定手段である制御部２２により収納されている紙幣２の残量が第２の所定量以下であると判定された金種が存在するときに、当該金種の紙幣２が不足している旨を報知するものである。また報知手段として機能する多様化ランプ２３は、前記第２の硬貨残量判定手段である制御部２２により収納されている硬貨３の残量が第２の所定量以下であると判定された金種が存在するときに、当該金種の硬貨３が不足している旨を報知するものでもある。
【００３３】
この多様化ランプ２３は、制御部２２による発光制御に基づいて複数の発光態様で発光可能なランプであって、前記不足している各貨幣の金種に応じた発光態様で発光するものであり、例えば前記不足している貨幣が、五千円紙幣であれば赤，千円紙幣であれば黄，五百円硬貨であれば緑，百円硬貨であれば青の発光態様で発光する。なお複数金種の貨幣が同時に不足した場合には、金額の小さな貨幣に対応する発光態様で発光する。
【００３４】
このように、釣銭収納手段に収納されている紙幣２及び／又は硬貨３の残量が第２の所定量以下である金種が存在するときには、釣銭として当該金種の紙幣２及び／又は硬貨３が不足している旨が報知されるので、該不足している金種の紙幣２及び／又は硬貨３を遊技場の従業員が迅速に補充することができ、釣銭切れによって遊技者に不快感を抱かせることがなくなる。
【００３５】
紙幣処理ユニット２４は、図４に示すように、紙幣挿入口２４ａから受け入れた紙幣２を識別する紙幣識別手段である紙幣識別機２４ｂと、紙幣識別機２４ｂにより識別された紙幣２を回収する紙幣回収手段である紙幣搬送ローラ４０ｅ及び紙幣搬送路４９と、釣銭用の紙幣２を収納する釣銭収納手段である紙幣収納部２４ｃ，２４ｄと、を備えている。この紙幣処理ユニット２４は釣銭払出手段の一例であって、釣銭収納手段に収納されている貨幣を前記払出枚数特定手段である制御部２２により特定された枚数釣銭として払い出すものであり、ここでは釣銭収納手段に収納されている各金種の貨幣を前記払出枚数特定手段である制御部２２により特定された枚数ずつ払い出す。
【００３６】
ここで紙幣識別機２４ｂは、少なくとも異なる３金種の紙幣２（ここでは千円紙幣，二千円紙幣，五千円紙幣，及び一万円紙幣の４金種の紙幣２）を識別する。また紙幣搬送ローラ４０ｅ及び紙幣搬送路４９は、紙幣識別機２４ｂにより識別された紙幣２のうち、少なくとも金額が最大の金種の紙幣２（ここでは一万円紙幣）を回収する。さらに紙幣収納部２４ｃ，２４ｄは、紙幣識別機２４ｂにより識別された紙幣２のうち、前記金額が最大の金種の紙幣２以外の少なくとも２金種の紙幣２（ここでは五千円紙幣，千円紙幣）を釣銭用として該紙幣２の金種毎に収納し、ここでは紙幣収納部２４ｃに第１の金種の紙幣２（ここでは千円紙幣）が収納され、紙幣収納部２４ｄに第２の金種の紙幣２（ここでは五千円紙幣）が収納される。
【００３７】
この紙幣処理ユニット２４の構成を、図４を参照して説明する。紙幣挿入口２４ａの背後には、該紙幣挿入口２４ａから受け入れた紙幣２を玉貸ユニット２０の背面方向に搬送する直線状の紙幣搬送路４９が形成されており、該紙幣搬送路４９の終端には紙幣回収ベルト６１に連通する紙幣排出口が形成されている。紙幣挿入口２４ａの近傍における紙幣搬送路４９には、紙幣２の受入及び払出を検知する検知センサ４７ａが設けられており、紙幣排出口の近傍における紙幣搬送路４９には、紙幣２の回収を検知する検知センサ４７ｂが設けられている。また紙幣搬送路４９には、手前側から奥行き方向に向かって紙幣搬送ローラ４０ａ，４０ｂ，４０ｃ，４０ｄ，及び４０ｅが設けられている。これら紙幣搬送ローラ４０は制御部２２の制御によって回転し、これらが正方向に回転（以下「正回転」という。）することによって紙幣２が紙幣搬送路４９上を奥行き方向に向かって搬送され、逆方向に回転（以下「逆回転」という。）することによって紙幣２が紙幣搬送路４９上を手前方向に向かって搬送される。
【００３８】
紙幣搬送ローラ４０ａ及び４０ｃの間における紙幣搬送路４９には、前記紙幣識別機２４ｂが設けられている。紙幣搬送ローラ４０ｃ及び４０ｄの間における紙幣搬送路４９には、紙幣２の進路を切り替える切替板４１ａが設けられている。同様に紙幣搬送ローラ４０ｄ及び４０ｅの間における紙幣搬送路４９には、紙幣２の進路を切り替える切替板４１ｂが設けられている。これら切替板４１ｂは制御部２２の制御によって、紙幣収納時，紙幣回収時，及び釣銭払出時の各々に応じて開閉する。
【００３９】
紙幣搬送路４９上の切替板４１ａの位置から、紙幣識別機２４ｂと並列に設けられている前記紙幣収納部２４ｃの紙幣出入口までの間には、紙幣２を収納するための導入路及び釣銭払出時の紙幣排出通路である円弧状の釣銭搬送路４２ａが設けられており、紙幣収納部２４ｃの紙幣出入口近傍には、紙幣搬送ローラ４０ｆ，並びに紙幣２の収納及び排出を検知する検知センサ４７ｃが設けられている。同様に、紙幣搬送路４９上の切替板４１ｂの位置から、紙幣識別機２４ｂ及び紙幣収納部２４ｃと並列に設けられている前記紙幣収納部２４ｄの紙幣出入口までの間には、紙幣２を収納するための導入路及び釣銭払出時の紙幣排出通路である円弧状の釣銭搬送路４２ｂが設けられており、紙幣収納部２４ｄの紙幣出入口近傍には、紙幣搬送ローラ４０ｇ，並びに紙幣２の収納及び排出を検知する検知センサ４７ｄが設けられている。この紙幣搬送ローラ４０ｇも制御部２２の制御によって回転し、正回転することによって紙幣２が収納方向に向かって搬送され、逆回転することによって紙幣２が排出方向に向かって搬送される。なお紙幣収納部２４ｃ，２４ｄの構成については、紙幣処理ユニット２４の動作と合わせて後述する。
【００４０】
硬貨処理ユニット２５は、図２に示すように、硬貨挿入口２５ａから受け入れた硬貨３を識別する硬貨識別手段である硬貨識別機２５ｂと、釣銭用の硬貨３を収納する釣銭収納手段である硬貨収納部２５ｃと、を備えている。この硬貨処理ユニット２５は釣銭払出手段の一例であって、釣銭収納手段に収納されている貨幣を前記払出枚数特定手段である制御部２２により特定された枚数釣銭として払い出すものであり、ここでは釣銭収納手段に収納されている各金種の貨幣を前記払出枚数特定手段である制御部２２により特定された枚数ずつ払い出す。
【００４１】
ここで硬貨収納部２５ｃは、硬貨識別機２５ｂにより識別された硬貨３のうち、所定の金種の硬貨３を釣銭用として該硬貨３の金種毎に収納し、ここでは該所定の金種が百円硬貨及び五百円硬貨の２金種であり、第１硬貨収納部（図示外）に第１の金種の硬貨３（ここでは百円硬貨）が収納され、第２硬貨収納部（図示外）に第２の金種の硬貨３（ここでは五百円硬貨）が収納される。この所定の金種は、任意に設定可能である。また各収納部は、各硬貨３の直径に合わせた径の孔によって形成されているおり、各硬貨３は、各収納部に積層状態で収納されて、最下位に位置する硬貨３から一枚毎に排出可能な状態となっている。
【００４２】
この硬貨処理ユニット２５では、硬貨挿入口２５ａから受け入れられた硬貨３は、自然落下して硬貨識別機２５ｂに導かれ、該硬貨識別機２５ｂおいて真偽及び金種が識別される。ここで硬貨３が偽であると識別された場合には、該硬貨３は硬貨通路２５ｄを自然落下して硬貨返却口２６ａから返却される。また硬貨３が真であると識別され、かつ各硬貨が後述する貨幣回収条件に定められた残量に達していない場合には、硬貨３は硬貨収納部２５ｃに収納され、各硬貨が後述する貨幣回収条件に定められた残量に達している場合には、流路が切り替えられて、硬貨３は玉貸ユニット２０の背面から排出されて硬貨回収ベルト６２により搬送される。
【００４３】
硬貨返却ボタン２６は、硬貨挿入口２５ａと硬貨識別機２５ｂとを連通する通路や硬貨識別機２５ｂにおいて詰まった硬貨３の返却操作を受け付けるためのボタンであり、遊技者により硬貨返却ボタン２６が操作されると、該詰まった硬貨３が硬貨返却口２６ａから返却される。
【００４４】
玉貸単位金額設定ボタン２８は、玉貸ボタン３０の操作に応じて１回の玉貸に使用される玉貸単位金額を設定するためのボタンであり、遊技者により玉貸単位金額設定ボタン２８が操作されると、例えば１００円→２００円→３００円→５００円の順で玉貸単位金額が選択されて設定され、該設定された玉貸単位金額が玉貸単位金額表示器２７に表示される。残額表示器２９は、前記有価価値記憶手段である制御部２２に記憶されている残額を表示するための表示器である。玉貸ボタン３０は、玉貸操作を受け付けるためのボタンである。
【００４５】
玉払出機３１は、遊技島に設けられた補給樋（図示外）からパチンコ玉の供給を受けて、前記遊技媒体貸与処理手段である制御部２２からの命令に応じて、該供給されたパチンコ玉を払い出して貸与するためのものである。ここで払い出されて貸与されたパチンコ玉は、ノズル３１ａを介してパチンコ機１０の上皿１２に供給される。
【００４６】
遊技終了ボタン３２は遊技終了操作検出手段の一例であって、遊技者による遊技終了操作を検出するものであり、ここでは該遊技終了操作を受け付けるためのボタンである。この遊技終了ボタン３２が操作されると、制御部２２が遊技終了要求命令を受信して、前記有価価値記憶手段に記憶されている残額に基づいて後述する釣銭払出の制御を行う。
【００４７】
ホールコンピュータ５０は管理装置の一例であって、遊技場内の所定箇所（例えば管理事務所等）に設けられるものであり、図３に示すように接続される通信部５１，制御部５２，ハードディスク５３，入力装置５４，及びディスプレイ５５を備えている。
【００４８】
このホールコンピュータ５０は、各玉貸ユニット２０に対して貨幣回収条件及び貨幣補充条件を設定する手段である。ここで貨幣回収条件及び貨幣補充条件について説明する。玉貸ユニット２０は、紙幣識別機２４ｂ及び／又は硬貨識別機２５ｂにより識別された貨幣のうち、前記第１の紙幣残量判定手段及び／又は前記第１の硬貨残量判定手段により収納されている貨幣の残量が第１の所定量以上であると判定された金種の貨幣を回収するが、この第１の所定量を各貨幣の金種毎に定めたものが貨幣回収条件である。また玉貸ユニット２０は、紙幣識別機２４ｂ及び／又は硬貨識別機２５ｂにより識別された貨幣のうち、前記第２の紙幣残量判定手段及び／又は前記第２の硬貨残量判定手段により収納されている貨幣の残量が第２の所定量以下であると判定された金種が存在するときに、当該金種の貨幣が不足している旨を多様化ランプ２３により報知するが、この第２の所定量を各貨幣の金種毎に定めたものが貨幣補充条件である。
【００４９】
これら貨幣回収条件及び貨幣補充条件は、以下のようにして設定される。ホールコンピュータ５０において、複数のメニューの中から条件設定モードが選択されると、図６に示す条件設定画面がディスプレイ５５に表示される。この条件設定画面では、釣銭として使用可能な各貨幣（ここでは百円硬貨，五百円硬貨，千円紙幣，二千円紙幣，及び五千円紙幣）に応じた貨幣回収条件及び貨幣補充条件を設定するための入力欄が表示され、遊技場の管理者が入力装置５４を操作することにより、各入力欄に所望の条件が入力される。なお釣銭として使用不能な、金額が最大の金種である貨幣（ここでは一万円紙幣）については、デフォルトで回収に設定されている。
【００５０】
本実施例においては、貨幣回収条件（第１の所定量）として、百円硬貨に対して「２０枚」，五百円硬貨に対して「１０枚」，千円紙幣に対して「２０枚」，二千円紙幣に対して「回収」，及び五千円紙幣に対して「５枚」が各入力欄に入力され、また貨幣補充条件（第２の所定量）として、百円硬貨に対して「５枚」，五百円硬貨に対して「２枚」，千円紙幣に対して「５枚」，及び五千円紙幣に対して「１枚」が各入力欄に入力される。なお貨幣回収条件の設定時に、二千円紙幣に対して「回収」が設定されているので、貨幣補充条件について、二千円紙幣の対応する入力欄には「−」が表示され、入力を受け付けない。
【００５１】
この状態で画面右下の「適用」ボタンにマウスのポインタを合わせてクリックすることで、貨幣回収条件及び貨幣補充条件がハードディスク５３に記憶されると共に、貨幣回収条件を特定可能な情報及び貨幣補充条件を特定可能な情報が各パチンコ機１０に対応する各玉貸ユニット２０の通信部２１に送信されて、該貨幣回収条件及び貨幣補充条件が制御部２２に記憶される。なお該貨幣回収条件を特定可能な情報及び貨幣補充条件を特定可能な情報は、遊技場内の全ての玉貸ユニット２０に対して送信しても良いし、特定の遊技島に配置された玉貸ユニット２０に送信しても良い。
【００５２】
前述の如く貨幣回収条件（第１の所定量）が設定されると、各玉貸ユニット２０では、百円硬貨に関しては２０枚まで収納され、五百円硬貨に関しては１０枚まで収納され、千円紙幣に関しては２０枚まで収納され、二千円紙幣に関しては回収され、五千円紙幣に関しては５枚まで収納され、一万円紙幣に関しては回収される。そして収納された貨幣が第１の所定量に達している場合には、その後に受け入れられた貨幣は回収される。
【００５３】
また前述の如く貨幣補充条件（第２の所定量）が設定されると、各玉貸ユニット２０では、百円硬貨が５枚以下になった場合に多様化ランプ２３が「青」で発光され、五百円硬貨が２枚以下になった場合に多様化ランプ２３が「緑」で発光され、千円紙幣が５枚以下になった場合に多様化ランプ２３が「黄」で発光され、五千円紙幣が１枚以下になった場合に多様化ランプ２３が「赤」で発光される。なお複数金種の貨幣が第２の所定量以下になった場合には、金額の大きな貨幣に対応する発光態様で多様化ランプ２３が発光される。
【００５４】
なお各玉貸ユニット２０では、五百円硬貨が０枚になった状態では百円硬貨によって釣銭が払い出され、千円紙幣が０枚になった状態では五百円硬貨，又は百円硬貨によって釣銭が払い出され、五千円紙幣が０枚になった状態では千円紙幣，五百円硬貨，又は百円硬貨によって釣銭が払い出される。即ち釣銭は、不足した貨幣よりも金額の小さな貨幣によって代替されて払い出される。
【００５５】
図３に戻り、通信部５１は、前述の如く遊技場内の各玉貸ユニット２０の通信部２１と通信可能なものである。この通信部５１は設定条件送信手段の一例であって、前記貨幣回収条件を特定可能な情報，及び前記貨幣補充条件を特定可能な情報を、玉貸ユニット２０の通信部２１に送信する。また通信部５１は、玉貸ユニット２０の通信部２１から送信された貨幣処理情報を受信する。
【００５６】
制御部５２は、ＣＰＵ，ＲＡＭ，ＲＯＭ等を備えており、ハードディスク５３に記憶されている処理プログラムがＲＡＭを作業領域としてＣＰＵで実行されることにより、ホールコンピュータ５０に備えられる各構成要素の動作を制御して各種の処理を行うものである。
【００５７】
ハードディスク５３は前記貨幣回収条件及び前記貨幣補充条件の記憶手段であると共に、貨幣データ記憶手段の一例であって、図７に示すように、貨幣データベースとして、各パチンコ機１０の台番号と対応付けて、該パチンコ機１０に対応する玉貸ユニット２０の紙幣処理ユニット２４及び硬貨処理ユニット２５内に収納された貨幣の枚数を貨幣の金種毎に記憶し、該玉貸ユニット２０から釣銭として払い出された貨幣の枚数を貨幣の金種毎に記憶し、該玉貸ユニット２０から回収された貨幣の金額の合計を記憶している。
【００５８】
入力装置５４はキーボードやマウス等であって、前記貨幣回収条件及び前記貨幣補充条件を設定する際に、入力用デバイスとして機能するものである。ディスプレイ５５は液晶表示器等であって、前記貨幣回収条件及び前記貨幣補充条件を設定する際，及びハードディスク５３に記憶されている貨幣データベースを表示する際に、表示用デバイスとして機能するものである。
【００５９】
次に玉貸ユニット２０の作用について説明する。ここで玉貸ユニット２０は、台番号１のパチンコ機１０に対応して設けられているものとする。また遊技場の開店前には、図７（ａ）に示す枚数の貨幣が、遊技場の従業員により該玉貸ユニット２０の内部に予めセットされていると共に、該セットされた貨幣の残量が、貨幣残量判定手段である制御部２２に記憶されているものとする。この貨幣のセットは、玉貸ユニット２０を遊技島から引き出し（又は隣接するパチンコ機１０を開放して）、該玉貸ユニット２０の側面を開放して、紙幣収納部２４ｃ，２４ｄ，及び硬貨収納部２５ｃに各貨幣を収納することにより行う。
【００６０】
まず遊技者が貨幣を使用して遊技を行う場合には、玉貸ユニット２０において、以下のような玉貸処理が行われる。即ち玉貸ユニット２０において、紙幣識別機２４ｂ又は硬貨識別機２５ｂにより貨幣（紙幣２又は硬貨３）が受け付けられると、該受け付けられた貨幣の金額が、有価価値記憶手段である制御部２２に記憶されると共に、残額表示器２９に表示される。次に遊技者により玉貸ボタン３０が操作されて、玉貸操作が受け付けられると、玉貸単位金額設定ボタン２８により設定された玉貸単位金額に相当するパチンコ玉が玉払出機３１から払い出されて玉貸処理が行われ、減算手段である制御部２２により、パチンコ玉の貸与に使用された金額が、有価価値記憶手段である制御部２２に記憶されている残額から減算されると共に、減算後の残額が、残額表示器２９に表示される。
【００６１】
この玉貸処理が行われる場合における紙幣処理ユニット２４の動作について、図４及び図７を参照して説明する。まず紙幣２が紙幣挿入口２４ａより受け入れられると、検知センサ４７ａが紙幣２の受け入れを検知して受け入れ検知信号を制御部２２に送信する。制御部２２は該受け入れ検知信号を受信すると、紙幣搬送ローラ４０ａ〜４０ｅを正回転させて、紙幣２を紙幣挿入口２４ａから紙幣処理ユニット２４内に取り込む方向に搬送する。紙幣搬送ローラ４０ａの回転によって紙幣処理ユニット２４内に取り込まれた紙幣２は、紙幣識別機２４ｂ内において真偽の判定，及び金種の識別が行われ、該識別結果は、紙幣２の真偽，及び金種を特定可能な紙幣識別情報として制御部２２に送信される。
【００６２】
制御部２２は、受信した紙幣識別情報によって紙幣２が偽であると特定した場合には、紙幣搬送ローラ４０ａ〜４０ｅを逆回転させて紙幣挿入口２４ａから紙幣２を排出する。一方、受信した紙幣識別情報によって紙幣２が真であると特定した場合には、紙幣２の金額を前記有価価値記憶手段に記憶すると共に残額表示器２９に表示し、前記貨幣回収条件を参照して以下の処理を行う。
【００６３】
即ち紙幣２が一万円紙幣であった場合には、貨幣回収条件を参照することによって回収紙幣であると判断し、紙幣処理ユニット２４に対しては制御を行わない。従って紙幣識別機２４ｂを通過した紙幣２は紙幣搬送ローラ４０ｂ，４０ｃ，４０ｄ，及び４０ｅの正回転によって紙幣搬送路４９を通って背面部の紙幣排出口から排出された後、紙幣回収ベルト６１により搬送され金庫（図示外）に回収される。ここで検知センサ４７ｂが紙幣２の通過を検知して、制御部２２に通過信号を送信する。制御部２２は検知センサ４７ｂからの通過信号を受信することによって紙幣２が排出された（即ち回収された）と判断して、紙幣搬送ローラ４０ａ〜４０ｅの回転を停止して、貨幣処理情報（台番号「１」，貨幣の金種「一万円」，処理内容「回収」を特定可能な情報）をホールコンピュータ５０に送信する。ホールコンピュータ５０の制御部５２は、該貨幣処理情報に基づいて、図７の貨幣データベース中の台番号１の回収金額を更新する（即ち回収金額に１００００加算する）。
【００６４】
また紙幣２が二千円紙幣であった場合にも、貨幣回収条件を参照することによって回収紙幣であると判断し、紙幣処理ユニット２４に対しては制御を行わない。従って紙幣識別機２４ｂを通過した紙幣２は紙幣搬送ローラ４０ｂ，４０ｃ，４０ｄ，及び４０ｅの正回転によって紙幣搬送路４９を通って背面部の紙幣排出口から排出された後、紙幣回収ベルト６１により搬送され金庫（図示外）に回収される。ここで検知センサ４７ｂが紙幣２の通過を検知して、制御部２２に通過信号を送信する。制御部２２は検知センサ４７ｂからの通過信号を受信することによって紙幣２が排出された（即ち回収された）と判断して、紙幣搬送ローラ４０ａ〜４０ｅの回転を停止して、貨幣処理情報（台番号「１」，貨幣の金種「二千円」，処理内容「回収」を特定可能な情報）をホールコンピュータ５０に送信する。ホールコンピュータ５０の制御部５２は、該貨幣処理情報に基づいて、図７の貨幣データベース中の台番号１の回収金額を更新する（即ち回収金額に２０００加算する）。
【００６５】
一方、紙幣２が千円紙幣であった場合には、貨幣回収条件を参照することによって収納紙幣であると判断し、紙幣収納部２４ｃ内に収納している千円紙幣の量が、貨幣回収条件で定められた数量（ここでは２０）より少なければ、以下の処理を行う。
【００６６】
制御部２２は、紙幣搬送ローラ４０ａ〜４０ｅの正回転に加えて紙幣搬送ローラ４０ｆを正回転させると共に、通常は図４（ｂ）に示すように閉の状態になっている切替板４１ａを開の状態に切り替える。これらの制御によって、紙幣識別機２４ｂを通過した千円紙幣である紙幣２は紙幣搬送ローラ４０ｃ，及び４０ｆの正回転によって釣銭搬送路４２ａを通って紙幣収納部２４ｃの内部に送られる。紙幣収納部２４ｃに導入された紙幣２は、ばね４５のばね圧によって支持された支持板４３と、ソレノイド４８によって往復動させることが可能な支持板４４とに挟まれることによって起立状態で支持される。ここで検知センサ４７ｃが紙幣２の通過を検知して、制御部２２に通過信号を送信する。制御部２２は検知センサ４７ｃからの通過信号を受信することによって、紙幣収納部２４ｃに紙幣２が収納されたと判断して、紙幣搬送ローラ４０ａ〜４０ｅ，及び４０ｆの回転を停止させて、貨幣処理情報（台番号「１」，貨幣の金種「千円」，処理内容「収納」を特定可能な情報）をホールコンピュータ５０に送信する。また前述したように、貨幣残量判定手段である制御部２２は、紙幣２の通過信号を検知センサ４７ｃから受信する毎に対応する変数（ここでは千円収納変数）に１ずつ加算することにより紙幣収納部２４ｃに紙幣２が何枚収納されたのかを記憶している。ホールコンピュータ５０の制御部５２は、該貨幣処理情報に基づいて、図７の貨幣データベースを更新する（即ち台番号１の収納貨幣１０００の紙幣数に１を加算する）。
【００６７】
また紙幣２が千円紙幣であって、貨幣回収条件を参照することによって収納紙幣であると判断しても、紙幣収納部２４ｃ内に収納している千円紙幣の量が、貨幣回収条件設定で定められた量（ここでは２０）に達していれば、前記一万円紙幣及び二千円紙幣と同様の方法で千円紙幣を回収し、貨幣処理情報（台番号「１」，貨幣の金種「千円」，処理内容「回収」を特定可能な情報）をホールコンピュータ５０に送信する。ホールコンピュータ５０の制御部５２は、該貨幣処理情報に基づいて、図７の貨幣データベース中の台番号１の回収金額を更新する（即ち回収金額に１０００加算する）。このように、紙幣収納部２４ｃに収納された紙幣２の残量が第１の所定量に達している場合には、その後に受け入れた紙幣２が回収されるので、玉貸ユニット２０内に必要以上の紙幣２が釣銭としてストックされることがなくなり、盗難等のリスクが低減される。また紙幣収納部２４ｃが満杯になって紙幣２が受入不能になるという状態を回避することができる。
【００６８】
また紙幣２が五千円紙幣であった場合にも、貨幣回収条件を参照することによって収納紙幣であると判断し、紙幣収納部２４ｄ内に収納している五千円紙幣の量が、貨幣回収条件で定められた数量（ここでは５）より少なければ、以下の処理を行う。
【００６９】
制御部２２は、紙幣搬送ローラ４０ａ〜４０ｅの正回転に加えて紙幣搬送ローラ４０ｇを正回転させると共に、通常は図４（ｂ）に示すように閉の状態になっている切替板４１ｂを開の状態に切り替える。これらの制御によって、紙幣識別機２４ｂを通過した五千円紙幣である紙幣２は紙幣搬送ローラ４０ｄ，及び４０ｇの正回転によって釣銭搬送路４２ｂを通って紙幣収納部２４ｄの内部に送られる。紙幣収納部２４ｄに導入された紙幣２は、ばね４５のばね圧によって支持された支持板４３と、ソレノイド４８によって往復動させることが可能な支持板４４とに挟まれることによって起立状態で支持される。ここで検知センサ４７ｄが紙幣２の通過を検知して、制御部２２に通過信号を送信する。制御部２２は検知センサ４７ｄからの通過信号を受信することによって、紙幣収納部２４ｄに紙幣２が収納されたと判断して、紙幣搬送ローラ４０ａ〜４０ｅ，及び４０ｇの回転を停止させて、貨幣処理情報（台番号「１」，貨幣の金種「五千円」，処理内容「収納」を特定可能な情報）をホールコンピュータ５０に送信する。また前述したように、貨幣残量判定手段である制御部２２は、紙幣２の通過信号を検知センサ４７ｄから受信する毎に対応する変数（ここでは五千円収納変数）に１ずつ加算することにより紙幣収納部２４ｄに紙幣２が何枚収納されたのかを記憶している。ホールコンピュータ５０の制御部５２は、該貨幣処理情報に基づいて、図７の貨幣データベースを更新する（即ち台番号１の収納貨幣５０００の紙幣数に１を加算する）。
【００７０】
また紙幣２が五千円紙幣であって、貨幣回収条件を参照することによって収納紙幣であると判断しても、紙幣収納部２４ｄ内に収納している五千円紙幣の量が、貨幣回収条件設定で定められた量（ここでは５）に達していれば、前記一万円紙幣及び二千円紙幣と同様の方法で五千円紙幣を回収し、貨幣処理情報（台番号「１」，貨幣の金種「五千円」，処理内容「回収」を特定可能な情報）をホールコンピュータ５０に送信する。ホールコンピュータ５０の制御部５２は、該貨幣処理情報に基づいて、図７の貨幣データベース中の台番号１の回収金額を更新する（即ち回収金額に５０００加算する）。このように、紙幣収納部２４ｄに収納された紙幣２の残量が第１の所定量に達している場合には、その後に受け入れた紙幣２が回収されるので、玉貸ユニット２０内に必要以上の紙幣２が釣銭としてストックされることがなくなり、盗難等のリスクが低減される。また紙幣収納部２４ｄが満杯になって紙幣２が受入不能になるという状態を回避することができる。
【００７１】
また玉貸処理が行われる場合における硬貨処理ユニット２５の動作について、図２を参照して説明する。まず硬貨３が硬貨挿入口２５ａより受け入れられると、硬貨識別機２５ｂによって真偽，及び金種の識別が行われ、該識別結果は、硬貨３の真偽，及び金種を特定可能な硬貨識別情報として制御部２２に送信される。
【００７２】
制御部２２は、受信した硬貨識別情報によって硬貨３が偽であると特定した場合には、該硬貨３を硬貨通路２５ｄを通じて硬貨返却口２６ａから返却する。一方、受信した硬貨識別情報によって硬貨３が真であると特定した場合には、硬貨３の金額を前記有価価値記憶手段に記憶すると共に残額表示器２９に表示し、前記貨幣回収条件を参照して以下の処理を行う。
【００７３】
即ち硬貨３が百円硬貨であった場合には、貨幣回収条件を参照することによって収納貨幣であると判断し、硬貨収納部２５ｃ内に収納している百円硬貨の量が、貨幣回収条件で定められた数（ここでは２０）より少なければ、硬貨３は硬貨収納部２５ｃ内の第１硬貨収納部（図示外）に収納され、制御部２２は貨幣処理情報（台番号「１」，貨幣の金種「百円」，処理内容「収納」を特定可能な情報）をホールコンピュータ５０に送信する。また前述したように、貨幣残量判定手段である制御部２２は、第１硬貨収納部内に設けてある検知センサ（図示せず）によって硬貨３の収納を検出する毎に対応する変数（ここでは百円収納変数）に１ずつ加算することで第１硬貨収納部に硬貨３が何枚収納されたのかを記憶している。ホールコンピュータ５０の制御部５２は、該貨幣処理情報に基づいて、図７の貨幣データベースを更新する（即ち台番号１の収納貨幣１００の貨幣数に１を加算する）。
【００７４】
また硬貨３が百円硬貨であって、貨幣回収条件を参照することによって収納貨幣であると判断しても、硬貨収納部２５ｃの第１硬貨収納部内に収納している百円硬貨の量が、貨幣回収条件設定で定められた量（ここでは２０）に達していれば、該百円硬貨は硬貨識別機２５ｂの背面側から排出された後、硬貨回収ベルト６２により搬送され金庫（図示外）に回収される。制御部２２は貨幣処理情報（台番号「１」，貨幣の金種「百円」，処理内容「回収」を特定可能な情報）をホールコンピュータ５０に送信する。ホールコンピュータ５０の制御部５２は、該貨幣処理情報に基づいて、図７の貨幣データベース中の台番号１の回収金額を更新する（即ち回収金額に１００加算する）。このように、硬貨収納部２５ｃの第１硬貨収納部に収納された硬貨３の残量が第１の所定量に達している場合には、その後に受け入れた硬貨３が回収されるので、玉貸ユニット２０内に必要以上の硬貨３が釣銭としてストックされることがなくなり、盗難等のリスクが低減される。また硬貨収納部２５ｃの第１硬貨収納部が満杯になって硬貨３が受入不能になるという状態を回避することができる。
【００７５】
また硬貨３が五百円硬貨であった場合にも、貨幣回収条件を参照することによって収納貨幣であると判断し、硬貨収納部２５ｃ内に収納している五百円硬貨の量が、貨幣回収条件で定められた数（ここでは１０）より少なければ、硬貨３は硬貨収納部２５ｃ内の第２硬貨収納部（図示外）に収納され、制御部２２は貨幣処理情報（台番号「１」，貨幣の金種「五百円」，処理内容「収納」を特定可能な情報）をホールコンピュータ５０に送信する。また前述したように、貨幣残量判定手段である制御部２２は、第２硬貨収納部内に設けてある検知センサ（図示せず）によって硬貨３の収納を検出する毎に対応する変数（ここでは五百円収納変数）に１ずつ加算することで第２硬貨収納部に硬貨３が何枚収納されたのかを記憶している。ホールコンピュータ５０の制御部５２は、該貨幣処理情報に基づいて、図７の貨幣データベースを更新する（即ち台番号１の収納貨幣５００の貨幣数に１を加算する）。
【００７６】
また硬貨３が五百円硬貨であって、貨幣回収条件を参照することによって収納貨幣であると判断しても、硬貨収納部２５ｃの第２硬貨収納部内に収納している五百円硬貨の量が、貨幣回収条件設定で定められた量（ここでは１０）に達していれば、該五百円硬貨は硬貨識別機２５ｂの背面側から排出された後、硬貨回収ベルト６２により搬送され金庫（図示外）に回収される。制御部２２は貨幣処理情報（台番号「１」，貨幣の金種「五百円」，処理内容「回収」を特定可能な情報）をホールコンピュータ５０に送信する。ホールコンピュータ５０の制御部５２は、該貨幣処理情報に基づいて、図７の貨幣データベース中の台番号１の回収金額を更新する（即ち回収金額に５００加算する）。このように、硬貨収納部２５ｃの第２硬貨収納部に収納された硬貨３の残量が第１の所定量に達している場合には、その後に受け入れた硬貨３が回収されるので、玉貸ユニット２０内に必要以上の硬貨３が釣銭としてストックされることがなくなり、盗難等のリスクが低減される。また硬貨収納部２５ｃの第２硬貨収納部が満杯になって硬貨３が受入不能になるという状態を回避することができる。
【００７７】
次に遊技者が遊技終了ボタン３２を操作して遊技を終了する場合には、玉貸ユニット２０において、以下のような処理が行われる。即ち遊技終了ボタン３２が操作されると、制御部２２が遊技終了要求命令を受信して前記有価価値記憶手段に記憶されている残額に基づいて釣銭払出の制御を行う。ここでは有価価値記憶手段に記憶されている残額が６６００である場合について説明する。
【００７８】
遊技終了命令要求を受信した制御部２２は、有価価値記憶手段に記憶されている残額（ここでは６６００）に基づいて、通常は、できるだけ金額の大きな貨幣によって釣銭を払い出す組み合わせを決定する（ここでは五千円紙幣１枚，千円紙幣１枚，五百円硬貨１枚，及び百円硬貨１枚である。）。そして該決定された各貨幣の残量が零でない場合には、前記決定された五千円紙幣１枚，千円紙幣１枚，五百円硬貨１枚，及び百円硬貨１枚で釣銭を払い出す処理を行う。一方、該決定された各貨幣の残量が零である場合には、該残量が零である貨幣以外の貨幣によって釣銭を払い出す処理を行う。
【００７９】
以下においては、五千円紙幣１枚，千円紙幣１枚，五百円硬貨１枚，及び百円硬貨１枚を釣銭として払い出す場合について説明する。この場合には、まず五千円紙幣が払い出され、該払い出された五千円紙幣が紙幣挿入口２４ａから抜き取られた後に、千円紙幣が払い出され、これら紙幣２の払い出しと並行して、硬貨３が払い出される。即ち釣銭に複数枚の紙幣２が含まれる場合には、各紙幣２が１枚ずつ払い出される。
【００８０】
まず五千円紙幣の払出に関し、制御部２２は、紙幣収納部２４ｄのソレノイド４８の突起部分が短くなるように制御して支持板４４をソレノイド４８側に移動させる。すると支持板４３と支持板４４に挟持されている紙幣（ここでは五千円紙幣）のうち、支持板４４と接した状態にある紙幣２の端が、釣銭搬送ローラ４６に圧接される状態になる。次に制御部２２は、釣銭搬送ローラ４６，及び紙幣搬送ローラ４０ｇを逆回転させて、支持板４４と接した状態にある紙幣２を紙幣収納部２４ｄから排出して釣銭搬送路４２ｂに送り込む。ここで検知センサ４７ｄが紙幣２の通過を検知して、制御部２２に通過信号を送信する。制御部２２は検知センサ４７ｄからの通過信号を受信することによって、釣銭搬送ローラ４６を停止して収納紙幣が続けて排出されないようにし、かつ紙幣搬送ローラ４０ｇの逆回転に加えて紙幣搬送ローラ４０ａ〜４０ｅを逆回転させると共に、通常は図４（ｂ）に示すように閉の状態になっている切替板４１ｂを開の状態に切り替える。これらの制御によって、釣銭搬送路４２ｂを通過した五千円紙幣である紙幣２は、紙幣搬送路４９を通って紙幣挿入口２４ａの方向に搬送され、該紙幣２の先端が紙幣挿入口２４ａから一部露出した状態で停止される。ここで検知センサ４７ａが紙幣２の通過を検知して、制御部２２に通過信号を送る。制御部２２は検知センサ４７ａからの通過信号を受信することによって、紙幣搬送ローラ４０ａ〜４０ｅ，及び４０ｇの回転を停止させる。そして遊技者によって紙幣２が紙幣挿入口２４ａから抜き取られることにより、検知センサ４７ａによる紙幣２の検知がなくなると、制御部２２は、次に述べる千円紙幣を払い出す処理を開始すると共に、貨幣処理情報（台番号「１」，貨幣の金種「五千円」，処理内容「払出」を特定可能な情報）をホールコンピュータ５０に送信する。なお貨幣残量判定手段である制御部２２は、紙幣２が払い出される毎に対応する変数（ここでは五千円収納変数）から１ずつ減算することで紙幣収納部２４ｄに紙幣２が何枚収納されているのかを記憶している。ホールコンピュータ５０の制御部５２は、該貨幣処理情報に基づいて、図７の貨幣データベースを更新する（即ち台番号１の収納貨幣５０００の紙幣数から１を減算し、払出貨幣５０００の紙幣数に１を加算する）。
【００８１】
次に千円紙幣の払出に関し、制御部２２は、紙幣収納部２４ｃのソレノイド４８の突起部分が短くなるように制御して支持板４４をソレノイド４８側に移動させる。すると支持板４３と支持板４４に挟持されている紙幣（ここでは千円紙幣）のうち、支持板４４と接した状態にある紙幣２の端が、釣銭搬送ローラ４６に圧接される状態になる。次に制御部２２は、釣銭搬送ローラ４６，及び紙幣搬送ローラ４０ｆを逆回転させて、支持板４４と接した状態にある紙幣２を紙幣収納部２４ｃから排出して釣銭搬送路４２ａに送り込む。ここで検知センサ４７ｃが紙幣２の通過を検知して、制御部２２に通過信号を送信する。制御部２２は検知センサ４７ｃからの通過信号を受信することによって、釣銭搬送ローラ４６を停止して収納紙幣が続けて排出されないようにし、かつ紙幣搬送ローラ４０ｆの逆回転に加えて紙幣搬送ローラ４０ａ〜４０ｅを逆回転させると共に、通常は図４（ｂ）に示すように閉の状態になっている切替板４１ａを開の状態に切り替える。これらの制御によって、釣銭搬送路４２ａを通過した千円紙幣である紙幣２は、紙幣搬送路４９を通って紙幣挿入口２４ａの方向に搬送され、該紙幣２の先端が紙幣挿入口２４ａから一部露出した状態で停止される。ここで検知センサ４７ａが紙幣２の通過を検知して、制御部２２に通過信号を送る。制御部２２は検知センサ４７ａからの通過信号を受信することによって、紙幣搬送ローラ４０ａ〜４０ｅ，及び４０ｆの回転を停止させる。そして遊技者によって紙幣２が紙幣挿入口２４ａから抜き取られることにより、検知センサ４７ａによる紙幣２の検知がなくなると、制御部２２は、貨幣処理情報（台番号「１」，貨幣の金種「千円」，処理内容「払出」を特定可能な情報）をホールコンピュータ５０に送信する。なお貨幣残量判定手段である制御部２２は、紙幣２が払い出される毎に対応する変数（ここでは千円収納変数）から１ずつ減算することで紙幣収納部２４ｃに紙幣２が何枚収納されているのかを記憶している。ホールコンピュータ５０の制御部５２は、該貨幣処理情報に基づいて、図７の貨幣データベースを更新する（即ち台番号１の収納貨幣１０００の紙幣数から１を減算し、払出貨幣１０００の紙幣数に１を加算する）。
【００８２】
上述した紙幣２の払出と並行して、五百円硬貨の払出に関し、制御部２２は、硬貨収納部２５ｃの第２硬貨収納部に収納されている五百円硬貨について、第２硬貨収納部の底部を開放することによって最下位に位置する五百円硬貨を一枚落下させ、硬貨通路２５ｄを通じて硬貨返却口２６ａに払い出す。五百円硬貨を落下させる際に、硬貨収納部２５ｃは制御部２２に対して落下させた硬貨３の金種を特定可能な情報を送信する。制御部２２は、前記情報を受信して、貨幣処理情報（台番号「１」，貨幣の金種「五百円」，処理内容「払出」を特定可能な情報）をホールコンピュータ５０に送信する。なお貨幣残量判定手段である制御部２２は、硬貨３が払い出される毎に対応する変数（ここでは五百円収納変数）から１ずつ減算することで第２硬貨収納部に硬貨３が何枚収納されているのかを記憶している。ホールコンピュータ５０の制御部５２は、該貨幣処理情報に基づいて、図７の貨幣データベースを更新する（即ち台番号１の収納貨幣５００の硬貨数から１を減算し、払出貨幣５００の硬貨数に１を加算する）。
【００８３】
また上述した紙幣２の払出と並行して、百円硬貨の払出に関し、制御部２２は、硬貨収納部２５ｃの第１硬貨収納部に収納されている百円硬貨について、第１硬貨収納部の底部を開放することによって最下位に位置する百円硬貨を一枚落下させ、硬貨通路２５ｄを通じて硬貨返却口２６ａに払い出す。百円硬貨を落下させる際に、硬貨収納部２５ｃは制御部２２に対して落下させた硬貨３の金種を特定可能な情報を送信する。制御部２２は、前記情報を受信して、貨幣処理情報（台番号「１」，貨幣の金種「百円」，処理内容「払出」を特定可能な情報）をホールコンピュータ５０に送信する。なお貨幣残量判定手段である制御部２２は、硬貨３が払い出される毎に対応する変数（ここでは百円収納変数）から１ずつ減算することで第１硬貨収納部に硬貨３が何枚収納されているのかを記憶している。ホールコンピュータ５０の制御部５２は、該貨幣処理情報に基づいて、図７の貨幣データベースを更新する（即ち台番号１の収納貨幣１００の硬貨数から１を減算し、払出貨幣１００の硬貨数に１を加算する）。
【００８４】
このように、硬貨識別機２５ｂにより識別された硬貨３のうち、所定の金種の硬貨３も釣銭用として玉貸ユニット２０内に収納され、釣銭として硬貨３も払い出されるので、遊技者の利便性を向上できる。
【００８５】
以上に説明したように、本発明に係る玉貸ユニット２０によれば、紙幣識別機２４ｂにより識別された紙幣２のうち、金額が最大の金種の紙幣２以外の少なくとも２金種の紙幣２が釣銭用として玉貸ユニット２０内に収納されるので、１金種の紙幣２のみを釣銭用に収納する場合に比べて釣銭不足のおそれを減少させることができ、遊技場の従業員による釣銭用紙幣の補給負担が著しく低減される。その結果、釣銭用紙幣の搬送のために複雑な設備を設ける必要がなくなるので、保守，及び管理が簡単に行える。
【００８６】
また貨幣処理情報が外部出力されることにより、該玉貸ユニット２０と接続されたホールコンピュータ５０によって出入金の管理を行うことができるので、該出力された情報と実際の回収紙幣の金額や収納紙幣の金額とを照合して、不正の有無等の検討が可能になる。
【００８７】
以上に説明した実施形態と対応付けて本願の請求項に係る発明を説明すると、以下のとおりである。
【００８８】
まず請求項１に係る発明は、遊技機（パチンコ機１０）に対応して設けられ、紙幣（２）を識別する紙幣識別手段（紙幣識別機２４ｂ）と、該紙幣識別手段により識別された紙幣の金種に対応する有価価値の大きさを記憶する有価価値記憶手段（制御部２２）と、該有価価値記憶手段に記憶されている有価価値の大きさ（残額）の範囲内における所定の大きさの有価価値に相当する遊技媒体（パチンコ玉）を貸与するための貸与処理（玉貸処理）を行う遊技媒体貸与処理手段（制御部２２）と、該遊技媒体貸与処理手段により遊技媒体の貸与に使用された有価価値の大きさ（使用額）を前記有価価値記憶手段に記憶されている有価価値の大きさから減算する減算手段（制御部２２）と、前記紙幣識別手段により識別された紙幣を回収する紙幣回収手段（紙幣搬送ローラ４０ｅ及び紙幣搬送路４９）と、釣銭用の紙幣を収納する釣銭収納手段（紙幣収納部２４ｃ及び２４ｄ）と、遊技者による遊技終了操作を検出する遊技終了操作検出手段（遊技終了ボタン３２）と、該遊技終了操作検出手段による検出があったときに、前記有価価値記憶手段に記憶されている有価価値の大きさに相当する金額分の紙幣として、前記釣銭収納手段に収納されている紙幣より何枚払い出すかを特定する払出枚数特定手段（制御部２２）と、前記釣銭収納手段に収納されている紙幣を該払出枚数特定手段により特定された枚数釣銭として払い出す釣銭払出手段（紙幣処理ユニット２４，及び硬貨処理ユニット２５）と、を備える遊技用装置（玉貸ユニット２０）であって、前記紙幣識別手段は、少なくとも異なる３金種の紙幣を識別し、前記紙幣回収手段は、前記紙幣識別手段により識別された紙幣のうち、少なくとも金額が最大の金種の紙幣を回収し、前記釣銭収納手段は、前記紙幣識別手段により識別された紙幣のうち、前記金額が最大の金種の紙幣以外の少なくとも２金種の紙幣を釣銭用として該紙幣の金種毎に収納し、前記払出枚数特定手段は、前記有価価値記憶手段に記憶されている有価価値の大きさに相当する金額分の紙幣として、前記釣銭収納手段に収納されている各金種の紙幣よりそれぞれ何枚払い出すかを特定し、前記釣銭払出手段は、前記釣銭収納手段に収納されている各金種の紙幣を前記払出枚数特定手段により特定された枚数ずつ釣銭として払い出すことを特徴とする遊技用装置である。
【００８９】
また請求項２に係る発明は、請求項１に記載した遊技用装置（玉貸ユニット２０）であって、前記紙幣回収手段（紙幣搬送ローラ４０ｅ及び紙幣搬送路４９）に回収された紙幣（２）の金額を特定可能な情報と、前記釣銭収納手段（紙幣収納部２４ｃ及び２４ｄ）に収納された紙幣の金額を特定可能な情報と、前記釣銭払出手段（紙幣処理ユニット２４）により釣銭として払い出された紙幣の金額を特定可能な情報と、を外部出力する紙幣金額情報出力手段（通信部２１）をさらに備えることを特徴とする遊技用装置である。
【００９０】
また請求項３に係る発明は、請求項１又は２に記載した遊技用装置（玉貸ユニット２０）であって、前記釣銭収納手段（紙幣収納部２４ｃ及び２４ｄ）に収納されている紙幣（２）の残量が第１の所定量以上であるか否かを該収納されている紙幣の金種毎に判定する第１の紙幣残量判定手段（制御部２２）をさらに備え、前記紙幣回収手段（紙幣搬送ローラ４０ｅ及び紙幣搬送路４９）は、前記紙幣識別手段（紙幣識別機２４ｂ）により識別された紙幣のうち、前記第１の紙幣残量判定手段により収納されている紙幣の残量が第１の所定量以上であると判定された金種の紙幣を回収することを特徴とする遊技用装置である。
【００９１】
また請求項４に係る発明は、請求項１〜３のいずれか１つに記載した遊技用装置（玉貸ユニット２０）であって、前記釣銭収納手段（紙幣収納部２４ｃ及び２４ｄ）に収納されている紙幣（２）の残量が第２の所定量以下であるか否かを該収納されている紙幣の金種毎に判定する第２の紙幣残量判定手段（制御部２２）と、該第２の紙幣残量判定手段により収納されている紙幣の残量が第２の所定量以下であると判定された金種が存在するときに、当該金種の紙幣が不足している旨を報知する報知手段（多様化ランプ２３）と、をさらに備えることを特徴とする遊技用装置である。
【００９２】
また請求項５に係る発明は、請求項１〜４のいずれか１つに記載した遊技用装置（玉貸ユニット２０）であって、前記釣銭収納手段（紙幣収納部２４ｃ及び２４ｄ）に収納されている紙幣（２）の残量が零であるか否かを該収納されている紙幣の金種毎に判定する第３の紙幣残量判定手段（制御部２２）をさらに備え、前記払出枚数特定手段（制御部２２）は、該第３の紙幣残量判定手段により収納されている紙幣の残量が零であると判定された金種が存在するときに、前記有価価値記憶手段（制御部２２）に記憶されている有価価値の大きさ（残額）に相当する金額分の紙幣として、前記収納されている紙幣の残量が零であると判定された金種以外の金種の紙幣からそれぞれ何枚払い出すかを特定することを特徴とする遊技用装置である。
【００９３】
また請求項６に係る発明は、請求項１〜５のいずれか１つに記載した遊技用装置（玉貸ユニット２０）であって、硬貨（３）を識別する硬貨識別手段（硬貨識別機２５ｂ）をさらに備え、前記釣銭収納手段（硬貨収納部２５ｃ）は、該硬貨識別手段により識別された硬貨のうち、所定の金種の硬貨を釣銭用として該硬貨の金種毎に収納し、前記有価価値記憶手段（制御部２２）は、前記硬貨識別手段により識別された硬貨の金種に対応する有価価値の大きさを記憶し、前記払出枚数特定手段（制御部２２）は、前記遊技終了操作検出手段（遊技終了ボタン３２）による検出があったときに、前記有価価値記憶手段に記憶されている有価価値の大きさ（残額）に相当する金額分の貨幣として、前記釣銭収納手段に収納されている各金種の紙幣（２）及び／又は硬貨よりそれぞれ何枚払い出すかを特定し、前記釣銭払出手段（紙幣処理ユニット２４及び硬貨処理ユニット２５）は、前記釣銭収納手段に収納されている各金種の紙幣及び／又は硬貨を前記払出枚数特定手段により特定された枚数ずつ釣銭として払い出すことを特徴とする遊技用装置である。
【００９４】
さらに請求項７に係る発明は、請求項６に記載した遊技用装置（玉貸ユニット２０）であって、前記釣銭収納手段（硬貨収納部２５ｃ）に収納された硬貨（３）の金額を特定可能な情報と、前記釣銭払出手段（硬貨処理ユニット２５）により釣銭として払い出された硬貨の金額を特定可能な情報と、を外部出力する硬貨金額情報出力手段（通信部２１）をさらに備えることを特徴とする遊技用装置である。
【００９５】
最後に、本発明の変形例について説明する。
【００９６】
上記の実施形態では、遊技機がパチンコ機１０である例について説明したが、これに限らず、該遊技機は、例えば遊技媒体としてメダルを使用するスロットマシン，遊技媒体としてパチンコ玉を使用するスロットマシンであるパチロット，遊技媒体であるパチンコ玉が指触不能に封入された封入式のパチンコ機，パチンコ玉やメダルを用いることなく得点データを使用して遊技可能なパチンコ機やスロットマシン，遊技領域やパチンコ玉が画像にて表示される画像式のパチンコ機，リールが画像にて表示される画像式のスロットマシン等であっても良い。
【００９７】
上記の実施形態では、遊技媒体を貸与するための貸与処理が、パチンコ玉を貸与する玉貸処理である例について説明したが、これに限らず、該貸与処理は、前記メダルを貸与するメダル貸出処理や、前記画像式のパチンコ機やスロットマシンにおいて有価価値の大きさを遊技媒体としての得点に変換して遊技に使用させる処理等でも良い。
【００９８】
上記の実施形態では、玉貸処理が行われた場合に、遊技用装置（玉貸ユニット２０）に設けられた玉払出機３１からパチンコ玉が払い出されて貸与される例について説明したが、これに限らず、遊技用装置と遊技機（パチンコ機１０）とを通信可能に構成し、玉貸処理が行われた場合に、遊技用装置と遊技機との間でパチンコ玉の貸与に関する信号のやり取りが行われて、遊技機からパチンコ玉が払い出されて貸与されるようにしても良い。
【００９９】
上記の実施形態では、図１に示すように、残額表示器２９，及び玉貸ボタン３０が遊技用装置（玉貸ユニット２０）に設けられる例について説明したが、これに限らず、それらの一方又は双方が遊技機（パチンコ機１０）に設けられるものでも良い。
【０１００】
上記の実施形態では、有価価値記憶手段（制御部２２）において、有価価値の大きさとして金額自体が記憶されている例について説明したが、これに限らず、該有価価値の大きさとして、該金額が所定の比率（例えば１００円で１度数）で換算された遊技用有価価値の大きさ（いわゆる残度数）が記憶されるようにしても良い。この場合には、玉貸単位金額設定ボタン２８は、玉貸単位度数設定ボタンとして例えば１度→２度→３度→５度の順で玉貸単位度数を選択して設定可能とし、該設定された玉貸単位度数が玉貸単位度数表示器に表示されるように構成すれば良い。また残額表示器２９は、残度数表示器として残度数を表示し、釣銭の払出時には該残度数を貨幣金額に再変換して釣銭を払い出すように構成すれば良い。
【０１０１】
上記の実施形態では、貨幣残量判定手段（制御部２２）が、貨幣の金種毎に記憶している変数を貨幣の出入りに応じて加減することにより、釣銭収納手段に収納されている貨幣の残量が第１の所定量以上であるか否か、釣銭収納手段に収納されている貨幣の残量が第２の所定量以下であるか否か、及び釣銭収納手段に収納されている貨幣の残量が零であるか否かを判定する例について説明したが、これに限らず、釣銭収納手段に収納されている貨幣の残量が第１の所定量以上となったことを該収納されている貨幣の金種毎に検出する検出手段（センサ）を釣銭収納手段に設けて、該検出手段による検出があったときに、釣銭収納手段に収納されている貨幣の残量が第１の所定量以上であると判定しても良く、また釣銭収納手段に収納されている貨幣の残量が第２の所定量以下となったことを該収納されている貨幣の金種毎に検出する検出手段（センサ）を釣銭収納手段に設けて、該検出手段による検出があったときに、釣銭収納手段に収納されている貨幣の残量が第２の所定量以下であると判定しても良く、また釣銭収納手段に収納されている貨幣の残量が零となったことを該収納されている貨幣の金種毎に検出する検出手段（センサ）を釣銭収納手段に設けて、該検出手段による検出があったときに、釣銭収納手段に収納されている貨幣の残量が零であると判定するようにしても良い。さらに釣銭収納手段に貨幣が満杯に収納されたことを該収納されている貨幣の金種毎に検出する検出手段（センサ）を釣銭収納手段に設けて、該検出手段による検出があったときに、前記紙幣回収手段が、該満杯に収納されている旨が検出された金種の貨幣を回収するようにしても良い。
【０１０２】
上記の実施形態では、収納紙幣が千円紙幣，及び五千円紙幣の２金種である例について説明したが、これに限らず、該収納紙幣を千円紙幣，二千円紙幣，及び五千円紙幣の３金種としても良く、この場合には、釣銭収納手段として、該３金種の紙幣２を収納する紙幣収納部を設けるように構成すれば良い。
【０１０３】
上記の実施形態では、紙幣２として千円紙幣，二千円紙幣，五千円紙幣，及び一万円紙幣を受け入れて、このうち千円紙幣及び五千円紙幣を釣銭用として収納し、二千円紙幣及び一万円紙幣については回収しているが、これら収納紙幣，回収貨幣については任意に定めることが可能である。例えば、紙幣２として千円紙幣，二千円紙幣，五千円紙幣，及び一万円紙幣を受け入れて、千円紙幣及び二千円紙幣を釣銭用として収納し、五千円紙幣及び一万円紙幣を回収しても良い。また、紙幣として千円紙幣，二千円紙幣，五千円紙幣を受け入れて、千円紙幣及び二千円紙幣を釣銭用として収納し、五千円紙幣を回収しても良い。即ち少なくとも異なる３金種の紙幣２を識別し、そのうちの少なくとも金額が最大の金種の紙幣２を回収し、該金額が最大の金種の紙幣２以外の少なくとも２金種の紙幣２を釣銭用として収納するものであれば良い。
【０１０４】
上記の実施形態では、硬貨３として百円硬貨，及び五百円硬貨を受け入れて、これらの双方を釣銭用として収納しているが、これに限らず、百円硬貨，又は五百円硬貨のいずれか一方のみを釣銭用に収納して他方は回収するようにしても良い。
【０１０５】
上記の実施形態では、硬貨３として百円硬貨，及び五百円硬貨を受け入れる例について説明したが、これに限らず、百円硬貨，又は五百円硬貨のいずれか一方のみを受け入れて使用可能としても良く、この場合には、硬貨識別手段（硬貨識別機２５ｂ）は、受け入れた硬貨３が使用可能な金種の硬貨３であるか否かを識別する。つまり、この場合の硬貨識別手段は、硬貨３の金種を識別していることとなる。
【０１０６】
上記の実施形態では、紙幣２と硬貨３の両方を受け入れる例について説明したが、これに限らず、紙幣２のみを受け入れて使用可能としたり、あるいは紙幣２と硬貨３の両方を受け入れるが紙幣２のみを釣銭用に収納して硬貨３は回収するようにしても良く、この場合には、玉貸単位金額を千円単位にするか、あるいは千円未満の釣銭の払い出さないように構成すれば良い。
【０１０７】
上記の実施形態では、報知手段が多様化ランプ２３であり、収納された貨幣の残量が第２の所定量以下である場合に、不足している各金種に対応した発光態様で該多様化ランプ２３を発光させることによって貨幣の不足を報知する例について説明したが、これに限らず、該報知手段として貨幣の金種に対応した複数のランプ（例えば収納貨幣である五千円紙幣，千円紙幣，五百円硬貨，及び百円硬貨の各々に対応する４つのランプ）を設け、収納された貨幣の残量が第２の所定量以下である場合に、不足している各金種に対応したランプを発光させることによって貨幣の不足を報知するようにしても良い。
【０１０８】
上記の実施形態では、複数金種の貨幣が同時に不足した場合には、報知手段である多様化ランプ２３が、該不足している金種のうち金額の小さな金種の貨幣に対応する発光態様で発光する例について説明したが、これに限らず、該不足している金種の発光色を交互に点灯する発光態様で発光するようにしても良い。
【０１０９】
上記の実施形態では、報知手段が多様化ランプ２３であり、該多様化ランプ２３を発光させることによって貨幣の不足を報知する例について説明したが、これに限らず、報知手段として貨幣不足情報を出力する外部出力端子を設け、該出力される貨幣不足情報に基づいて、遊技島に設けられた代表ランプを発行することによって、貨幣の不足を報知するようにしても良い。
【０１１０】
上記の実施形態では、図４に示すように、紙幣処理ユニット２４において、紙幣収納部２４ｃ，２４ｄが並列に配置されている例について説明したが、これに限らず、図５に示すように、紙幣収納部２４ｃ，２４ｄが玉貸ユニット２０の奥行き方向に向かって直列に配置されていても良い。この図５に示す例では、紙幣搬送路４９と直角に釣銭搬送路４２ｃ’が形成され、該釣銭搬送路４２ｃ’と直角かつ紙幣搬送路４９と並行に、紙幣収納部２４ｃに連通する釣銭搬送路４２ａ’と、紙幣収納部２４ｄに連通する釣銭搬送路４２ｂ’が形成されている。また紙幣搬送路４９と釣銭搬送路４２ｃ’との接続部に切替板４１ｃ’が設けられ、釣銭搬送路４２ｃ’と釣銭搬送路４２ａ’及び釣銭搬送路４２ｂ’との接続部に切替板４１ｄ’が設けられている。この例では、切替板４１ｃ’を開の状態，及び切替板４１ｄ’を閉の状態にすることで第一種の紙幣２（例えば千円紙幣）が紙幣収納部２４ｃ内に搬送され、切替板４１ｃ’を開の状態，及び切替板４１ｄ’を開の状態にすることで第二種の紙幣（例えば五千円紙幣）が紙幣収納部２４ｄ内に搬送される。
【０１１１】
上記の実施形態では、硬貨処理ユニット２５において硬貨３を回収する際に、流路切替を行うことによって硬貨収納部２５ｃに設けてある孔を通過させないようにしているが、これに限らず、硬貨収納部２５ｃにおける収納限度を超えた場合には流路切替を行わずとも自動的に硬貨３が硬貨回収ベルト６２に到達するように構成して、流路切替の制御を無くしても良い。
【０１１２】
上記の実施形態では、貨幣を回収する際に、紙幣２が遊技用装置（玉貸ユニット２０）の背面から排出されて紙幣回収ベルト６１により回収され、硬貨３が遊技用装置の背面から排出されて硬貨回収ベルト６２により回収される例について説明したが、これに限らず、遊技用装置の内部に貨幣回収ボックスを設け、該貨幣回収ボックスにより貨幣が回収されるようにしても良い。
【０１１３】
上記の実施形態では、図６に示すように、貨幣回収条件及び貨幣補充条件がホールコンピュータ５０において設定変更可能である例について説明したが、これに限らず、該貨幣回収条件及び貨幣補充条件はデフォルトで決定されており設定変更不能なものでも良い。
【０１１４】
【発明の効果】
本発明に係る遊技用装置によれば、以下のような効果を奏する。
【０１１５】
まず請求項１に係る遊技用装置によれば、紙幣識別手段により識別された紙幣のうち、金額が最大の金種の紙幣以外の少なくとも２金種の紙幣が釣銭用として遊技用装置内に収納されるので、１金種の紙幣のみを釣銭用に収納する場合に比べて釣銭不足のおそれを減少させることができ、遊技場の従業員による釣銭用紙幣の補給負担が著しく低減される。その結果、釣銭用紙幣の搬送のために複雑な設備を設ける必要がなくなるので、保守，及び管理が簡単に行える。
【０１１６】
また請求項２に係る遊技用装置によれば、回収された紙幣の金額を特定可能な情報，釣銭用に収納された紙幣の金額を特定可能な情報，及び釣銭として払い出された紙幣の金額を特定可能な情報が外部出力されることにより、該遊技用装置と接続されたホールコンピュータ等によって出入金の管理を行うことができるので、該出力された情報と実際の回収紙幣の金額や収納紙幣の金額とを照合して、不正の有無等の検討が可能になる。
【０１１７】
また請求項３に係る遊技用装置によれば、釣銭収納手段に収納されている紙幣の残量が第１の所定量以上である金種が存在するときには、その後に紙幣識別手段により識別された該金種の紙幣が回収されるので、遊技用装置内に必要以上の紙幣が釣銭としてストックされることがなくなり、盗難等のリスクが低減されると共に、釣銭収納手段が満杯になって紙幣が受入不能になるという状態を回避することができる。
【０１１８】
また請求項４に係る遊技用装置によれば、釣銭収納手段に収納されている紙幣の残量が第２の所定量以下である金種が存在するときには、釣銭として当該金種の紙幣が不足している旨が報知されるので、該不足している金種の紙幣を遊技場の従業員が迅速に補充することができ、釣銭切れによって遊技者に不快感を抱かせることがなくなる。
【０１１９】
また請求項５に係る遊技用装置によれば、遊技終了時の釣銭払出時において釣銭収納手段に収納されている紙幣の残量が零である金種が存在するときには、該収納されている紙幣の残量が零であると判定された金種以外の金種の紙幣によって釣銭が払い出されるので、特定金種の紙幣が無い場合にも釣銭を払い出すことができると共に、釣銭切れによって遊技者に不快感を抱かせることがなくなる。
【０１２０】
また請求項６に係る遊技用装置によれば、硬貨識別手段により識別された硬貨のうち、所定の金種の硬貨も釣銭用として遊技用装置内に収納され、釣銭として硬貨も払い出されるので、遊技者の利便性を向上できる。
【０１２１】
さらに請求項７に係る遊技用装置によれば、釣銭用に収納された硬貨の金額を特定可能な情報，及び釣銭として払い出された硬貨の金額を特定可能な情報が外部出力されることにより、該遊技用装置と接続されたホールコンピュータ等によって硬貨の出入金の管理を行うことができるので、該出力された情報と実際に遊技用装置内に収納されている硬貨の金額とを照合して、不正の有無等の検討が可能になる。
【図面の簡単な説明】
【図１】図１はパチンコ機及び本発明に係る遊技用装置である玉貸ユニットの一例を表す正面図である。
【図２】図２は図１の玉貸ユニットの断面側面図である。
【図３】図３はパチンコ機，玉貸ユニット，及びホールコンピュータの一例を表す機能ブロック図である。
【図４】図４は紙幣処理ユニットの一例を表す平面図である。
【図５】図５は紙幣処理ユニットの一例（変形例）を表す平面図である。
【図６】図６はホールコンピュータのディスプレイに表示される条件設定画面の一例である。
【図７】図７はホールコンピュータのハードディスクに記憶されている貨幣データベースの一例である。
【符号の説明】
２…紙幣
３…硬貨
１０…パチンコ機
２０…玉貸ユニット
２１…通信部
２２…制御部
２３…多様化ランプ
２４…紙幣処理ユニット
２４ｂ…紙幣識別機
２４ｃ…紙幣収納部
２４ｄ…紙幣収納部
２５…硬貨処理ユニット
２５ｂ…硬貨識別機
２５ｃ…硬貨収納部
３２…遊技終了ボタン
４０…紙幣搬送ローラ
４９…紙幣搬送路
【図１】
2004321417.tif 000003
【図２】
2004321417.tif 000004
【図３】
2004321417.tif 000005
【図４】
2004321417.tif 000006
【図５】
2004321417.tif 000007
【図６】
2004321417.tif 000008
【図７】
2004321417.tif 000009